(57)【要約】【課題】現状のＩＳＤＮ環境を維持したまま、ＶｏＩＰ通話を容易に利用することができるＶｏＩＰシステムを構成する。【解決手段】ＶｏＩＰ用ＩＳＤＮアダプタ１のフロントエンド部１１は、ＩＳＤＮ回線で接続された相手側のＩＰアドレスを含むアダプタ情報を受信し、発信側のアダプタ情報を相手側に送信する。相手側のアダプタ情報は同じアダプタ内の信号変換部１２に伝送され、信号変換部１２はＩＰアドレスを第２のＶｏＩＰアダプタ３に与える。ＩＳＤＮＰＢＸ４に接続された情報端末機５から発信された音声信号は、信号変換部１２を介して第２のＶｏＩＰアダプタ３に送信される。第２のＶｏＩＰアダプタ３では、音声信号を所定のデータ形式に変換し、取得した相手側ＩＰアドレスに基づいて、ネットワークコントローラ６を経由して所定のプロトコルでネットワーク先の相手側ＶｏＩＰアダプタに送信する。【選択図】　図１
2004007550.tif 000002
【特許請求の範囲】
【請求項１】
ＩＳＤＮ回線からのＩＳＤＮ信号をアナログ信号に変換してＶｏＩＰアダプタに送信し、該ＶｏＩＰアダプタからのアナログ信号をＩＳＤＮ信号に変換して前記ＩＳＤＮ回線に送信し、
該ＩＳＤＮ回線に接続された相手側のアダプタ情報とＩＰアドレスとを取得して、該アダプタ情報とＩＰアドレスを信号変換部に送信するとともに、自身のＩＰアドレスを相手側に送信するフロントエンド部と、
前記相手側のＩＰアドレスと、自身に接続されたＩＳＤＮ端末機からのＩＳＤＮ信号を変換したアナログ信号とを前記ＶｏＩＰアダプタに送信し、
前記相手側から前記ＶｏＩＰアダプタを介してアナログ信号を受信し、ＩＳＤＮ信号に変換して前記ＩＳＤＮ端末機に送信する信号変換部と、
を備えたことを特徴とするＶｏＩＰ用ＩＳＤＮアダプタ。
【請求項２】
請求項１に記載のＶｏＩＰ用ＩＳＤＮアダプタと、該ＶｏＩＰ用ＩＳＤＮアダプタに接続する複数の前記ＶｏＩＰアダプタと、該複数のＶｏＩＰアダプタに接続する前記ネットワークアダプタとを備え、
通話の双方に設置された前記ＶｏＩＰ用ＩＳＤＮアダプタ間で、前記ＩＰアドレスと前記アダプタ情報とを送受信することにより、ＶｏＩＰ通話環境を設定することを特徴とするＶｏＩＰ通話システム。
【請求項３】
ＩＳＤＮ回線から受信したＩＳＤＮ信号を所定形式のディジタルデータに変換して出力するとともに、入力されたディジタルデータをＩＳＤＮ信号に変換して前記ＩＳＤＮ回線に送信するフロントエンド部と、
該ＶｏＩＰアダプタから入力されたアナログ信号を前記所定形式のディジタルデータに変換して出力するとともに、入力された前記所定形式のディジタルデータをアナログ信号に変換して前記ＶｏＩＰアダプタに出力するＶｏＩＰ用送受信部と、
前記フロントエンド部および前記ＶｏＩＰ用送受信部からのディジタルデータをＩＳＤＮ信号に変換してＩＳＤＮ端末機に送信するとともに、該ＩＳＤＮ端末機からのＩＳＤＮ信号を前記所定形式のディジタルデータに変換し、前記フロントエンド部または前記ＶｏＩＰ用送受信部のいずれか一方に選択して出力する信号変換部と、
を備えたことを特徴とするＶｏＩＰ用ＩＳＤＮアダプタ。
【請求項４】
前記信号変換部は、前記ＩＳＤＮ信号を変換してなるディジタルデータから電話番号情報を検出し、該電話番号情報が予め設定された電話番号に該当する場合にのみ、前記ディジタルデータを前記フロントエンド部に出力する請求項３に記載のＶｏＩＰ用ＩＳＤＮアダプタ。
【請求項５】
前記信号変換部は、前記ＩＳＤＮ信号を変換してなるディジタルデータから電話番号情報を検出し、該電話番号情報が予め設定された電話番号に該当する場合にのみ、前記ディジタルデータを前記ＶｏＩＰ用送受信部に出力する請求項３に記載のＶｏＩＰ用ＩＳＤＮアダプタ。
【発明の詳細な説明】
【０００１】
【発明の属する技術分野】
この発明は、ＩＳＤＮ回線とネットワークとを利用して、ＶｏＩＰ（Ｖｏｉｃｅ　ｏｖｅｒ　ＩＰ）を実現するＶｏＩＰ用ＩＳＤＮアダプタに関するものである。
【０００２】
【従来の技術】
現在、企業や個人等のユーザ間や、企業内の個別ユーザ間の通信手段として、電話やファクシミリ等の音声通信の他に、電子メールやファイル転送等のＩＰデータ通信が存在する。これら二つの通信網はそれぞれ異なる構成であり、それぞれにネットワークを構築しなけらばならなかった。これら二つのネットワークを統合することができれば合理的であり、最小限の設備投資で有効なネットワークを確立することができる。
【０００３】
近年、各ユーザ間の通信量は音声通信よりもＩＰデータ通信の方が多くなってきたことにより、前記ネットワークの統合手法としては、音声通信をＩＰデータ通信網で伝送する手法であるＶｏＩＰ（Ｖｏｉｃｅ　ｏｖｅｒ　ＩＰ）が一般に用いられている。
【０００４】
ＶｏＩＰ通話システムでは、アナログ形式の音声信号をディジタル形式の音声データに変換し、ＩＰネットワーク上を所定のプロトコルで伝送するものである。この最も一般的な変換形式としては、音声信号をＩＰパケットに変換して伝送するものであり、最も一般的な伝送方法としては、ＵＤＰ／ＩＰのプロトコルで伝送するものである。
【０００５】
また、ＶｏＩＰ方式では、互いに通話するユーザ同士がＶｏＩＰアダプタを備え、それぞれ電話機等の情報端末機に接続し、まずアナログ回線で通信相手を確認した後、ＶｏＩＰアダプタに記憶されている相手アドレスに基づいて、ネットワークを介して通信を行う。
【０００６】
ＶｏＩＰアダプタ１０１は、図８に示すようにアナログ公衆回線に接続する回線接続端子（Ｌｉｎｅ端子）と、電話機等の情報端末機１０２に接続する端末接続端子（Ｔｅｌ端子）と、ネットワークアダプタ１０３を介しネットワークに接続するネットワーク接続端子（ＬＡＮ端子）とを備える。
【０００７】
ＶｏＩＰアダプタ１０１は、情報端末機１０２から発信された音声信号をＴＥＬ端子から入力し、Ｌｉｎｅ端子からアナログ公衆回線を介して、通話相手側に送信する。相手側に同じＶｏＩＰアダプタ２０１が存在すれば、存在を示す信号を発信し、発信側のＶｏＩＰアダプタ１０１で認識する。
【０００８】
このように相手側にＶｏＩＰアダプタ２０１があれば、ＶｏＩＰアダプタ１０１は情報端末機１０２から発信される音声信号を変換して音声データを生成し、ネットワーク接続端子からネットワークアダプタ１０３に伝送し、ネットワークアダプタ１０３は相手側に音声データを所定のプロトコルで送信する。相手側では、ネットワークコントローラ２０３を介してＶｏＩＰアダプタ２０１が音声データを受信して音声信号に変換し、情報端末機２０２に送信する。このように、通話の双方で音声信号をネットワークを介して送受信する。
【０００９】
【発明が解決しようとする課題】
ところが、このような従来のＶｏＩＰ通話システムでは、次に示す解決すべき課題があった。
【００１０】
従来のＶｏＩＰ通話システムは、アナログ公衆回路とネットワークとを切り換えて音声信号か音声データかを通信している。しかし、ＩＳＤＮ回線等のディジタル回線ではディジタル型のＩＳＤＮ信号を送受信するため、従来のアナログ公衆回線用のＶｏＩＰアダプタは使用することができない。
【００１１】
このため、ＶｏＩＰ通話システムを利用するには、ＩＳＤＮ回線とは別にアナログ回線網を構築しなければならず、設置費用が多額になってしまう。
【００１２】
また、ＶｏＩＰ対応ＩＳＤＮターミナルも各種考案されているが、これらは、アナログ回線を用いたＶｏＩＰ通話システムとＩＳＤＮ変換回路とを一体化したものなので装置が高価となり、設備費用が多額になってしまう。
【００１３】
この発明の目的は、現状のＩＳＤＮ環境を維持したまま、ＶｏＩＰ通話を容易に利用することが可能となる安価なＶｏＩＰ用ＩＳＤＮアダプタと、これを利用して通話を行うＶｏＩＰ通話システムを構成することにある。
【００１４】
【課題を解決するための手段】
この発明のＶｏＩＰ用ＩＳＤＮアダプタは、ＩＳＤＮ信号と音声信号とを相互に変換するとともに、通話を行う双方のアダプタ情報やＩＰアドレスの交換を行うフロントエンド部と、ＩＳＤＮ端末機とＶｏＩＰアダプタとの間の信号変換を行う信号変換部とから構成される。
【００１５】
フロントエンド部はＩＳＤＮ回線に接続しており、ＩＳＤＮ回線を伝送するディジタル形式のＩＳＤＮ信号はフロントエンド部でアナログ信号に変換されてＶｏＩＰアダプタに送信される。また、ＶｏＩＰアダプタからのアナログ信号はＩＳＤＮ信号に変換されてＩＳＤＮ回線に伝送される。
【００１６】
また、フロントエンド部は相手側のアダプタ情報とＩＰアドレスとを取得して信号変換部に送信する。さらに、ネットワークコントローラから自身のＩＰアドレスを取得し、ＩＳＤＮ回線を通じて相手側のＶｏＩＰ用ＩＳＤＮアダプタに、自身のアダプタ情報とともに伝送する。
【００１７】
このように、通話双方のＶｏＩＰ用ＩＳＤＮアダプタを介して、ＩＰアドレス等を交換するので、ＩＳＤＮ端末機間でＩＳＤＮ回線を開通させなくても、互いのＩＰアドレスを取得することができる。
【００１８】
信号変換部は、フロントエンド部からのアダプタ情報のうち相手側のＩＰアドレスをＶｏＩＰアダプタに送信する。
【００１９】
ＩＳＤＮ端末機から発信された音声データを含むＩＳＤＮ信号は信号変換部に入力され、信号変換部はこれをＶｏＩＰアダプタに送信するためにアナログ形式の音声信号に変換する。
【００２０】
ＶｏＩＰアダプタは、アナログ形式の音声信号をディジタル形式に再度変換して音声データを生成し、相手側のＩＰアドレスとともに、ネットワークコントローラに送信する。
【００２１】
この相手側のＩＰアドレスと音声データとに基づいて、ネットワークコントローラは、ネットワークを介して相手側のネットワークコントローラに音声データを送信する。
【００２２】
相手側のＶｏＩＰアダプタは受信した音声データを音声信号に変換し、ＶｏＩＰ用ＩＳＤＮアダプタの信号変換部に送信する。信号変換部では、アナログ信号の音声信号をＩＳＤＮ形式に変換してＩＳＤＮ端末機に送信する。
【００２３】
このように、音声信号を所定の形式に変換した音声データを、通話双方がネットワークを介して所定のプロトコルで送受信することで通話を行う。
【００２４】
また、この発明のＶｏＩＰ用ＩＳＤＮアダプタは、ＩＳＤＮ回線からのＩＳＤＮ信号と信号変換部からの所定形式のディジタルデータとを相互に変換するフロントエンド部と、ＶｏＩＰアダプタから入力されたアナログ信号と信号変換部からの所定形式のディジタルデータとを相互に変換するＶｏＩＰ用送受信部と、フロントエンド部およびＶｏＩＰ用送受信部からのディジタルデータをＩＳＤＮ信号に変換してＩＳＤＮ端末機に送信するとともに、ＩＳＤＮ端末機からのＩＳＤＮ信号を所定形式のディジタルデータに変換して、フロントエンド部またはＶｏＩＰ用送受信部のいずれか一方に選択して出力する信号変換部とから構成されている。また、この信号変換部は、予め設定された電話番号に応じてディジタルデータをフロントエンド部またはＶｏＩＰ用送受信部のいずれかに出力する。
【００２５】
この構成では、ＩＳＤＮ端末機から相手側の電話番号を含む呼び出し信号がＩＳＤＮ形式で入力されると、信号変換部は、このＩＳＤＮ形式の呼び出し信号を、マイコン等が演算処理可能な所定形式のディジタルデータに変換して、該ディジタルデータより相手側の電話番号情報を検出して、予め設定された電話番号に該当するかどうかを確認する。
【００２６】
ここで、相手側電話番号が設定電話番号に該当する場合にＩＳＤＮ回線を利用する設定を予め行っておくと、信号変換部は、設定された電話番号に該当すれば、この電話番号情報を含むディジタルデータの呼び出し信号をフロントエンド部に送信する。フロントエンド部は、ディジタルデータを再度ＩＳＤＮ形式の呼び出し信号に変換して、ＩＳＤＮ回線網を介して相手側に送信する。
【００２７】
一方、相手側の電話番号情報が予め設定された電話番号に該当しなければ、信号変換部は前記ディジタルデータの呼び出し信号をＶｏＩＰ用送受信部に出力し、ＶｏＩＰ用送受信部はこの信号をダイヤルパルスまたはＤＴＭＦ形式の呼び出し信号に変換してＶｏＩＰアダプタに出力する。
【００２８】
また、相手側電話番号が設定電話番号に該当する場合にＶｏＩＰ回線を利用する設定を予め行っておくと、信号変換部は、設定された電話番号に該当すれば、この電話番号情報を含むディジタルデータの呼び出し信号をＶｏＩＰ用送受信部に送信する。ＶｏＩＰ送受信部は、ディジタルデータをダイヤルパルスまたはＤＴＭＦ形式の呼び出し信号に変換して、ＶｏＩＰアダプタに出力する。
【００２９】
一方、相手側の電話番号情報が予め設定された電話番号に該当しなければ、信号変換部は前記ディジタルデータの呼び出し信号をフロントエンド部に出力し、フロントエンド部はこの信号をＩＳＤＮ形式に変換してＩＳＤＮ回線網を介して相手側に送信する。
【００３０】
【発明の実施の形態】
本発明の第１の実施形態に係るＶｏＩＰ用ＩＳＤＮアダプタおよびこれを用いたＶｏＩＰ通話システムの構成について、図１〜図４を参照して説明する。
【００３１】
図１はＶｏＩＰ用ＩＳＤＮアダプタを用いたシステムの構成を示すブロック図である。
図２は発信からＶｏＩＰ環境の設定を行うまでの信号の流れを示した手順図である。
図３はＩＳＤＮデータのサブアドレスの一例の概略構成図である。
【００３２】
図４はＶｏＩＰ環境下でのデータの流れを示した手順図である。
【００３３】
図１において、１はＶｏＩＰ用ＩＳＤＮアダプタ、１１はフロントエンド部、１２は信号変換部、２，３はそれぞれ第１、第２のＶｏＩＰアダプタ、４はＩＳＤＮＰＢＸ（交換機）、５は情報端末機、６はネットワークコントローラである。
【００３４】
図１に示すように、本発明の第１の実施形態のＶｏＩＰ用ＩＳＤＮアダプタ１は、相互に接続されたフロントエンド部１１と信号変換部１２とから構成されている。
【００３５】
フロントエンド部１１は一つのＩＳＤＮ回線端子と二つのアナログ回線端子とを備え、ＩＳＤＮ回線端子にはＩＳＤＮ公衆回線が接続されており、二つのアナログ回線端子のそれぞれには、第１、第２のＶｏＩＰアダプタ２，３が接続されている。
【００３６】
また、フロントエンド部１１は、本発明のアダプタ情報をＩＳＤＮ信号のサブアドレスに、図３に示すようなデータ構造で設定し、相手側のフロントエンド部に送信する。
【００３７】
ＩＳＤＮ回線の発信には電話番号の他に１８バイト以下のサブアドレスを付加することができる。このサブアドレスは通常は外部から個々の情報端末機５を直接指定するために利用しているが、これをＩＰアドレスを含むアダプタ情報に利用することができる。
【００３８】
アダプタ情報を、図３に示すようにそれぞれ４バイトのアダプタＩＤ、個体番号、ＩＰアドレスと、６バイトの電話番号の１８バイトで構成する。ここで、アダプタＩＤは文字、記号、社名等を用い、各ＶｏＩＰ用ＩＳＤＮアダプタを識別するものであり、個体番号はシリアル番号等を用い、個々のＩＳＤＮ端末装置を識別するものである。また電話番号は自己の電話番号であり、ＩＰアドレスも自己のＩＰアドレスである。なお、自己ＩＰアドレスは、ネットワークコントローラ６から取得している。
【００３９】
また、図３の割り当ては一例であり、この他にＶｏＩＰアダプタを指定するポート番号をサブアドレスに割り当てる等をしてもよい。
【００４０】
信号変換部１２は、一つのＩＳＤＮ回線端子と二つのアナログ回線端子とを備え、ＩＳＤＮ回線端子にはＩＳＤＮ回線を介しＩＳＤＮＰＢＸ４が接続されており、二つのアナログ回線端子のそれぞれには、第１、第２のＶｏＩＰアダプタ２，３が接続されている。また、信号変換部１２は、相手側のＩＰアドレスをフロントエンド部１１から取得し、第１、第２のＶｏＩＰアダプタ２，３に伝送する。
【００４１】
第１、第２のＶｏＩＰアダプタ２、３はそれぞれ二つのアナログ回線端子と一つのネットワーク端子とを備えており、これら二つのアナログ回線端子はそれぞれＶｏＩＰ用ＩＳＤＮアダプタ１のフロントエンド部１１と信号変換部１２とに接続されている。また、ネットワーク端子は、ネットワークコントローラ６に接続されている。
【００４２】
ネットワークコントローラ６は第１、第２ＶｏＩＰアダプタ２，３に接続するとともに、ネットワーク網に接続されており、所定のプロトコルでデータの送受信を行う。
【００４３】
ＩＳＤＮＰＢＸ４には、電話機等の複数の情報端末機５が接続されており、事前にＩＳＤＮ回線網から取得したＩＳＤＮ網情報をもとに接続すべき情報端末機を選択する。
【００４４】
次に、ＩＳＤＮ回線を用いてＶｏＩＰ通話環境を設定するまでの手順を図２を用いて説明する。なお、本説明では情報端末機として電話機を用いる。
【００４５】
発信側ユーザは電話機から、通話したい相手側の電話番号を入力して呼び出し信号を発信する。この呼び出し信号は、ＩＳＤＮＰＢＸ４、信号変換部１２を順に経由してフロントエンド部１１に伝送される（ｓ１）。
【００４６】
フロントエンド部１１では呼び出し信号をＩＳＤＮ信号の形式に変換し、ＩＳＤＮ信号のサブアドレスに前記アダプタ情報を設定し、ＩＳＤＮ公衆回線に発信する（ｓ２）。
【００４７】
発信側のアダプタ情報を添付した呼び出し信号を、相手側のＶｏＩＰ用ＩＳＤＮアダプタが認識すると、相手側のアダプタ情報を添付した応答信号が返信される（ｓ３）。ここで、呼び出し信号は、相手側のＩＳＤＮＰＢＸや電話機には伝送されない。
【００４８】
発信側フロントエンド部１１は、相手側からの応答信号を受信すると、アダプタ情報を抽出して信号変換部１２に伝送する。ここで、アダプタ情報はＶｏＩＰ用ＩＳＤＮアダプタの内部回路を利用して送受信される。
【００４９】
信号変換部１２は、相手側のアダプタ情報からＩＰアドレスを取得すると、ＶｏＩＰ用ＩＳＤＮアダプタ１はＩＳＤＮ回線を開放する（ｓ４）。そして、第１のＶｏＩＰアダプタ２または第２のＶｏＩＰアダプタ３にＩＰアドレスを伝送する。
【００５０】
ここで、相手側に発信側のＶｏＩＰ用ＩＳＤＮアダプタと同じ仕様のアダプタがなかった場合には、ＶｏＩＰ用ＩＳＤＮアダプタ１は、一旦ＩＳＤＮ回線を開放した後、前記サブアドレスを削除して再度発信し、ＩＳＤＮ回線を接続して通話を行う。
【００５１】
このように、アダプタ情報の交換をＩＳＤＮサブアドレスを用いて行うことで、相手側の電話機を呼び出すことなく、互いのアダプタ情報を交換し合うことができる。ＩＳＤＮサブアドレスは、ＩＳＤＮ回線の付加機能であり、回線サービスに組み込まれているため、課金されることなく、ＩＰアドレス等のＶｏＩＰ通話環境設定に必要なデータのやり取りを行うことができる。
【００５２】
次に、ＶｏＩＰ通話の手順を図４を用いて説明する。
【００５３】
ここで、以下の説明では、第２のＶｏＩＰアダプタ３を利用したネットワーク接続を示すが、第１のＶｏＩＰアダプタ２を利用しても同じ手順となる。
【００５４】
相手側のＩＰアドレスを取得すると、ＶｏＩＰ用ＩＳＤＮアダプタ１は、ＩＰアドレスのみを、ダイヤルトーンもしくはＤＴＭＦトーンで第２のＶｏＩＰアダプタ３に送信する（ｓ１１）。第２のＶｏＩＰアダプタ３は相手側ＩＰアドレスをディジタルデータに変換して送信した後、相手側のＶｏＩＰアダプタに、自身（発信側）のＶｏＩＰアダプタ情報を添付した発信要求データを、ネットワークコントローラ６を経由して送信する（ｓ１２）。相手側のＶｏＩＰアダプタはネットワークと相手側ネットワークコントローラとを経由したこの発信要求データを受信すると、自身（相手側）のＶｏＩＰアダプタ情報を含む発信応答データを第２のＶｏＩＰアダプタ３にネットワーク経由で返信する（ｓ１３）。
【００５５】
このように、第２のＶｏＩＰアダプタ３は、相手側のＶｏＩＰアダプタと相互にＶｏＩＰアダプタ情報を交換し、ＶｏＩＰ通話が可能な環境に設定する。ここで、ネットワークコントローラ６は、指定されたＩＰアドレスに基づいて、その指定ＩＰアドレスに接続する。
【００５６】
ＶｏＩＰ通話環境が設定されると、相手側ＶｏＩＰアダプタは、着信呼び出し信号をＶｏＩＰ用ＩＳＤＮアダプタおよびＩＳＤＮＰＢＸを介して相手側の電話機に送信する（ｓ１４）。
【００５７】
相手側の通話相手が電話機の受話器をオフフックすることで応答信号が発信され、ＩＳＤＮＰＢＸ、ＶｏＩＰ用ＩＳＤＮアダプタを介してＶｏＩＰアダプタに送信される（ｓ１５）。
【００５８】
相手側のＶｏＩＰアダプタは、この応答信号をネットワークのプロトコルに変換して端末接続応答データとして、ネットワークコントローラ、ネットワーク、発信側のネットワークコントローラ６を介し、第２のＶｏＩＰアダプタ３に送信する（ｓ１６）。
【００５９】
第２のＶｏＩＰアダプタ３は相手側からの端末接続応答データを受信すると、通話開始確認データを相手側のＶｏＩＰアダプタに送信し、相手側のＶｏＩＰアダプタは通話開始確認データに対し、端末接続完了データを送信する（ｓ１７→ｓ１８）。このような通話開始確認の送受信を行った後、応答信号が第２のＶｏＩＰアダプタ３、ＶｏＩＰ用ＩＳＤＮアダプタ１およびＩＳＤＮＰＢＸ４を介し、発信側の電話機に送信され（ｓ１９）、ＶｏＩＰ通話が開始される（ｓ２０）。
【００６０】
通話が開始されると、通話を行う双方のＶｏＩＰアダプタは、それぞれの音声信号を所定の形式の音声データに変換し、通話者同士は所定のプロトコルでネットワークを介して通話を行う。
【００６１】
なお、本実施形態では、通話者同士が一つのネットワーク内に存在する場合を示したが、互いに異なるネットワークに存在する場合には、これらのネットワーク間を接続するネットワークコントローラを用いればよい。例えば、互いに距離の離れたネットワーク内にある電話機同士でＶｏＩＰ通話する場合には、各ネットワーク網から公衆回線に接続するモデム等を用いることでＶｏＩＰ通話を実現することができる。
【００６２】
また、本実施形態では、ＩＳＤＮ回線とＩＳＤＮＰＢＸで接続された情報端末機間の通話をＶｏＩＰ通話にする方法を示したが、図１のＶｏＩＰアダプタ２，３とＶｏＩＰ用ＩＳＤＮアダプタ１の信号変換部１２との間のアナログ回路に、アナログ回線用ＰＢＸを挿入することで、アナログ回線用ＰＢＸにつながる情報端末機によるＶｏＩＰ通話を実現することも可能である。
【００６３】
また、フロントエンド部１１を利用せずに、ＶｏＩＰアダプタを直接アナログ公衆回線に接続することも可能である。しかし、この場合には、自動でＩＰアドレスを取得することができないため、ＶｏＩＰ環境の設定方法が複雑になってしまうか、固定アドレスを用いることとなる。
【００６４】
次に、第２の実施形態に係るＶｏＩＰ用ＩＳＤＮアダプタについて図５、図６、図７を参照して説明する。
図５は本実施形態に係るＶｏＩＰ用ＩＳＤＮアダプタを用いたシステムの構成図である。
図５において、１はＶｏＩＰ用ＩＳＤＮアダプタ、１１はフロントエンド部、１２は信号変換部、１３はＶｏＩＰ用送受信部、２，３はそれぞれ第１、第２のＶｏＩＰアダプタ、４はＩＳＤＮＰＢＸ（交換機）、５は情報端末機、６はネットワークコントローラである。
また、図６は信号変換部１２の構成図であり、２１はＩＳＤＮ信号変換部、２２は回線選択部である。
【００６５】
図５に示すように、本発明の第２の実施形態のＶｏＩＰ用ＩＳＤＮアダプタ１は、ＩＳＤＮ回線に接続されたフロントエンド部１１と、ＩＳＤＮＰＢＸ４に接続された信号変換部１２と、第１、第２のＶｏＩＰアダプタ２，３に接続されたＶｏＩＰ用送受信部１３とから構成されており、信号変換部１２がフロントエンド部１１およびＶｏＩＰ用送受信部１３に接続している。
【００６６】
信号変換部１２は、ＩＳＤＮＰＢＸ４に接続するＩＳＤＮ信号変換部２１と、フロントエンド部１１およびＩＳＤＮ信号変換部２１に接続する回線選択部２２とから構成される。
【００６７】
ＩＳＤＮ信号変換部２１は、ＩＳＤＮＰＢＸ４から受信したＩＳＤＮ信号を回線選択部２２で演算処理可能な所定形式のディジタルデータに変換して回線選択部２２に出力するとともに、回線選択部２２から入力されるディジタルデータをＩＳＤＮ形式に変換してＩＳＤＮＰＢＸ４に送信する。例えば、ＩＳＤＮＰＢＸ４から受信したＵ点信号を所定形式のディジタルデータに変換するとともに、ディジタルデータをＵ点信号に変換する。
【００６８】
回線選択部２２は、ＩＳＤＮ信号変換部２１でディジタルデータに変換された呼び出し信号から電話番号情報を検出し、フロントエンド部１１またはＶｏＩＰ用送受信部１３のいずれかに出力する。また、回線選択部２２は、フロントエンド部１１、または、ＶｏＩＰ用送受信部１３を介して相手側からの呼び出し信号が入力されると、ＩＳＤＮＰＢＸ４の空きチャンネルを確認して、空きチャンネルがあれば呼び出し信号をＩＳＤＮ信号変換部２１に出力する。ここで、空きチャンネルがなければ、回線使用中を表す信号をフロントエンド部１１を介して相手側に送信するか、または、ＶｏＩＰ用送受信部１３を介して相手側に送信する。
【００６９】
ＶｏＩＰ用送受信部１３は、回線選択部２２により、信号の送信元に選択されると、未使用中の第１、第２のＶｏＩＰアダプタ２，３のいずれかを電気的にオフフックしてから、ディジタル形式の相手側の電話番号情報をダイヤルパルスまたはＤＴＭＦ信号に変換して、オフフックしたＶｏＩＰアダプタに送信する。一方、ＶｏＩＰ用送受信部１３は、第１、第２のＶｏＩＰアダプタ２，３から着信信号（ベル鳴動信号）を受信すると、そのＶｏＩＰアダプタを電気的にオフフックする。そして、ＶｏＩＰ用送受信部１３はダイヤルパルスまたはＤＴＭＦ信号形式の電話番号情報を含む呼び出し信号を受信すると、ディジタル信号形式に変換して回線選択部２２に出力する。
【００７０】
第１、第２のＶｏＩＰアダプタ２、３はそれぞれアナログ回線端子とネットワーク端子とを備えており、このアナログ回線端子はＶｏＩＰ用ＩＳＤＮアダプタ１のＶｏＩＰ用送受信部１３に接続されている。また、ネットワーク端子はネットワークコントローラ６に接続されている。
その他の構成は図１に示したシステムと同じである。
【００７１】
次に、上述のシステムを用いて通話を行う手順を説明する。なお、本説明では情報端末機５として電話機を用いる。
【００７２】
発信側ユーザは情報端末機５である電話機にて、通話したい相手側の電話番号を入力して呼び出し信号を発信する。この呼び出し信号は、ＩＳＤＮＰＢＸ４を介して信号変換部１２のＩＳＤＮ信号変換部２１に伝送される。
【００７３】
ＩＳＤＮ信号変換部２１は、ＩＳＤＮ形式の呼び出し信号を所定のディジタル形式に変換して回線選択部２２に出力する。
【００７４】
回線選択部２２には予め所定の電話番号が複数記憶されており、回線選択部２２は、入力された呼び出し信号から電話番号情報を検出して、記憶されている電話番号に一致するかどうかを確認する。ここで、電話番号の確認には、記憶されている電話番号に完全に一致するかどうかを確認する方法と、電話番号の先頭から所定数の番号が一致するかどうかを確認する方法とがあり、ユーザは用途に用途に応じて、どちらの確認方法を用いるかを予め設定しておく。また、回線選択部２２には、「１１０」番警察通報等の特殊な番号を予め記憶した図７に示すテーブルが備えられており、呼び出し信号から電話番号情報を検出して、前記テーブルに基づいて当該電話番号がテーブルに記憶されている電話番号に該当するかどうかを確認する。
【００７５】
そして、当該電話番号が、予め記憶されている電話番号か、テーブルに記憶されている電話番号に該当する場合、または、発信元のユーザが相手側電話番号の先頭に「００００」等の特定の番号を付した場合に、回線選択部２２は、電話番号情報を含む呼び出し信号をフロントエンド部１１に出力する。フロントエンド部１１は、この呼び出し信号をＩＳＤＮ形式に再変換して、ＩＳＤＮ回線網を介して、相手側のＶｏＩＰ用ＩＳＤＮアダプタのフロントエンド部に発信する。
【００７６】
相手側の通話相手が電話機の受話器をオフフックすることで応答信号が発信され、発信側のＶｏＩＰ用ＩＳＤＮアダプタ１に応答信号が送信されて通話が開始される。
【００７７】
一方、通話相手の電話番号が前記テーブルに記憶された電話番号に該当しない場合には、回線選択部２２は、電話番号情報をＶｏＩＰ用送受信部１３に出力する。ＶｏＩＰ用送受信部１３は入力した電話番号情報をダイヤルパルスまたはＤＴＭＦ信号に変換して第２のＶｏＩＰアダプタ３に送信し、第２のＶｏＩＰアダプタ３は受信した電話番号情報に基づいて、発信要求データをネットワーク内のＶｏＩＰ通話管理手段に、ネットワークコントローラ６を介して送信する。
【００７８】
ＶｏＩＰ通話管理手段には、登録された電話番号に対応するＩＰアドレスが記録されており、受信した発信要求データから相手側の電話番号を検出し、該電話番号に対応するＩＰアドレスを取得する。そして、このＩＰアドレスを備えるＶｏＩＰアダプタに対して発信要求データを送信する。
【００７９】
相手側のＶｏＩＰアダプタは相手側ネットワークコントローラを経由したこの呼び出し信号を受信すると、発信応答データを第２のＶｏＩＰアダプタ３にネットワークを介して返信する。ＶｏＩＰ通話環境が設定されると、相手側ＶｏＩＰアダプタは着信呼び出し信号を相手側の電話機に送信する。そして、通話相手が電話機の受話器をオフフックすることで応答信号がＶｏＩＰアダプタに送信される。相手側のＶｏＩＰアダプタは、この応答信号を、接続するネットワークのプロトコルに変換することで端末接続応答データとして、相手側ネットワークコントローラ、ネットワーク、および発信側のネットワークコントローラ６を介して第２のＶｏＩＰアダプタ３に送信する。
【００８０】
第２のＶｏＩＰアダプタ３は相手側からの端末接続応答データを受信すると、通話開始確認データを相手側のＶｏＩＰアダプタに送信し、相手側のＶｏＩＰアダプタは通話開始確認データに対し、端末接続完了データを送信する。このような通話開始確認の送受信を行った後、応答信号が第２のＶｏＩＰアダプタ３を介し、ＶｏＩＰ用送受信部１３に送信される。ＶｏＩＰ用送受信部１３はこの応答信号を回線選択部２２、ＩＳＤＮ信号変換部２１、およびＩＳＤＮＰＢＸ４を介して、発信側の電話機に送信し、ＶｏＩＰ通話が開始される。
【００８１】
なお、ＶｏＩＰ通話が選択されても、相手側がＶｏＩＰ通話を行えない場合には、回線選択部２２は呼び出し信号をＶｏＩＰ用送受信部１３からフロントエンド部１１に切り替えて出力する。すなわち、ＶｏＩＰ通話からＩＳＤＮ回線通話に切り替えることも可能である。
【００８２】
このような構成とすることで、予め設定した電話番号を参照してＶｏＩＰ用ＩＳＤＮアダプタが通話相手に応じて適当な回線網（通話網）を自動で選択するので、ユーザは通話相手毎に通話網を選択して発信しなくても、通話相手に応じてＩＳＤＮ回線網とＶｏＩＰとのいずれか最適な通信網で通信することができる。
【００８３】
なお、本実施形態において、通話網を選択する電話番号のテーブルは、ユーザにより設定することができる。これにより、ユーザが予めこのテーブル内容を設定しておくことで、さらに最適な通信網の選択を通話毎に自動で行うことができる。
【００８４】
また、本実施形態では発信する電話番号が、予め記憶された電話番号か、テーブルに設定された電話番号に該当する場合や、特定の番号を先頭に付した場合ににのみＩＳＤＮ回線網で通話する設定がされているが、このような場合にのみＶｏＩＰ回線網で通話する設定を行ってもよい。この場合、前述の電話番号に該当すれば、ＶｏＩＰ回線網で通話を行い、該当しなければＩＳＤＮ回線網で通話を行う。
【００８５】
【発明の効果】
この発明によれば、ＶｏＩＰ用ＩＳＤＮアダプタをＶｏＩＰアダプタに接続することにより、ＩＳＤＮ回線で送受信した、互いのＩＰアドレスを含むアダプタ情報をもとに、容易にＩＳＤＮ回線網に接続するＶｏＩＰシステムを構築することができる。
【００８６】
また、一般に多く流通されているＶｏＩＰアダプタと本ＶｏＩＰ用ＩＳＤＮアダプタを現状のＩＳＤＮ回線網に接続するだけで、ＶｏＩＰ通話が可能となるので、現状のＩＳＤＮ回線システムをそのまま利用しながら、安価な設備投資でＶｏＩＰシステムを構成することができる。
【００８７】
また、ＩＳＤＮ回線のサブアドレスで互いのＩＰアドレスを含むアドレス情報を送受信し、これをＶｏＩＰ用ＩＳＤＮアダプタ間で交換することで、情報端末機間のＩＳＤＮ回線を開通させなくても、ＩＰアドレス等を交換することができる。これにより、課金されることなくかつ素早くＶｏＩＰ通話環境を設定することができる。
【００８８】
また、この発明によれば、ＶｏＩＰ用ＩＳＤＮアダプタにより通話相手に応じて適当な通話網が自動で選択されるので、ユーザは通話相手毎に通話網を選択して発信しなくても、通話相手応じてＩＳＤＮ回線網とＶｏＩＰとのいずれかの最適な通信網で通信することができる。
【図面の簡単な説明】
【図１】第１の実施形態に係るＶｏＩＰ用ＩＳＤＮアダプタを用いたシステムの構成図
【図２】発信からＶｏＩＰ環境設定を行うまでの信号の流れを示した手順図
【図３】ＩＳＤＮデータのサブアドレスの概要構成図
【図４】ＶｏＩＰ環境下でのデータの流れを示した手順図
【図５】第２の実施形態に係るＶｏＩＰ用ＩＳＤＮアダプタを用いたシステムの構成図
【図６】第２の実施形態に係る信号変換部１２の概要構成図
【図７】回線選択部に備えられた、通話網選択電話番号を記憶するテーブルの内容を表した図
【図８】従来のアナログ公衆回路に接続するＶｏＩＰシステムの構成図
【符号の説明】
１−ＶｏＩＰ用ＩＳＤＮアダプタ
１１−フロントエンド部
１２−信号変換部
１３−ＶｏＩＰ用送受信部
２１−ＩＳＤＮ信号変換部
２２−回線選択部
２，３，１０１，２０１−ＶｏＩＰアダプタ
４−ＩＳＤＮＰＢＸ（ＩＳＤＮ交換機）
５，１０２，２０２−情報端末機
６，１０３，２０３−ネットワークコントローラ
【図１】
2004007550.tif 000003
【図２】
2004007550.tif 000004
【図３】
2004007550.tif 000005
【図４】
2004007550.tif 000006
【図５】
2004007550.tif 000007
【図６】
2004007550.tif 000008
【図７】
2004007550.tif 000009
【図８】
2004007550.tif 000010